(57)【要約】【課題】軸方向からの電磁波の侵入を防止可能な構造とする。【解決手段】内部ハウジング４、５の嵌合孔２ｃ、３ｃが軸方向に貫通した金属製の外部ハウジング２、３と、光コネクタの挿入孔４ａ、５ａが軸方向に貫通し、挿入孔４ａ、５ａに挿入されたスリーブホルダ７の押え部４ａ、５ａが突設され、嵌合孔２ｃ、３ｃに嵌合される合成樹脂製の内部ハウジング４、５と、スリーブホルダ７の圧入孔６ａが形成され、スリーブホルダ７の圧入状態で内部ハウジング４、５の押え部４ａ、５ａ及び外部ハウジング２、３に挟持される金属プレート６と、天板部８ａにアダプタ取付板３０を挟持する挟持機構９を有する略コ字形状の外部ハウジングカバー８、８とを備える。【選択図】　　　　　図７
2004138883.tif 000002
【特許請求の範囲】
【請求項１】
内部ハウジングの嵌合孔が軸方向に貫通した２個一対の金属製の外部ハウジングと、
光コネクタの挿入孔が軸方向に貫通すると共に、当該挿入孔に挿入されたスリーブホルダの押え部が対向端の内側に突設され、前記嵌合孔に嵌合される２個一対の合成樹脂製の内部ハウジングと、
前記スリーブホルダの圧入孔が形成されており、スリーブホルダの圧入状態で内部ハウジングの押え部及び外部ハウジングに挟持される金属プレートと、
天板部上に、アダプタ取付板の取付孔の孔縁を、その両側から弾性力をもって挟持する挟持機構を設けると共に、略コ字形状の折曲構造よりなる２個一対の金属製の外部ハウジングカバーとを備えていることを特徴とする光コネクタアダプタ。
【発明の詳細な説明】
【０００１】
【発明の属する技術分野】
本発明は、両側から光コネクタが挿入されることにより、光通信用の光ケーブルの接続を行う光コネクタアダプタに関する。
【０００２】
【従来の技術】
ＭＵタイプの従来の光コネクタアダプタは、筒状のハウジングと、ハウジング内に軸方向に一体的に形成されたスリーブホルダとを有した構造となっている。スリーブホルダは、光コネクタが挿入されるスリーブを保持するものであり、スリーブはスリーブホルダ内を軸方向に貫通した状態で保持される。
【０００３】
このような構造の光コネクタアダプタは、筒状のハウジングの全体が合成樹脂によって形成されており、ハウジングの内部には、軸方向に貫通する空洞部が形成されることにより、光コネクタの挿入が可能となっている。
【０００４】
【発明が解決しようとする課題】
従来の光コネクタアダプタでは、筒状となっているハウジングが合成樹脂によって形成されていることから、軸方向に沿った方向からの電磁波の侵入を阻止することができないものとなっている。そして、侵入した電磁波が機器内部まで侵入し、この侵入によってノイズ障害を引き起こす原因となっている。
【０００５】
本発明は、このような従来の問題点を考慮してなされたものであり、ハウジング内への電磁波の侵入を良好に阻止することができ、これにより、ノイズ障害を防止することが可能な光コネクタアダプタを提供することを目的とする。
【０００６】
【課題を解決するための手段】
上記目的を達成するため、請求項１の発明の光コネクタアダプタは、内部ハウジングの嵌合孔が軸方向に貫通した２個一対の金属製の外部ハウジングと、
光コネクタの挿入孔が軸方向に貫通すると共に、当該挿入孔に挿入されたスリーブホルダの押え部が対向端の内側に突設され、前記嵌合孔に嵌合される２個一対の合成樹脂製の内部ハウジングと、
前記スリーブホルダの圧入孔が形成されており、スリーブホルダの圧入状態で内部ハウジングの押え部及び外部ハウジングに挟持される金属プレートと、
天板部上に、アダプタ取付板の取付孔の孔縁を、その両側から弾性力をもって挟持する挟持機構を設けると共に、略コ字形状の折曲構造よりなる２個一対の金属製の外部ハウジングカバーとを備えていることを特徴とする。
【０００７】
この発明では、スリーブホルダが圧入された金属プレートを、内部ハウジングの押え部及び外部ハウジングの間に挟み込み、この状態で一対の外部ハウジング及び外部ハウジングカバーを相互に組み付けることにより、光コネクタアダプタが形成される。この組み付け状態では、金属プレートがスリーブホルダにかけた領域を遮断すると共に、外部ハウジング及び外部ハウジングカバーが金属によって成形されていることから、ハウジングの軸方向に沿った電磁波を外部ハウジングの端面、金属プレート及び外部ハウジングカバーによって阻止することができる。このため、電磁波侵入に起因したノイズ障害を防止することができる。
【０００８】
また、外部ハウジング、内部ハウジング及び外部ハウジングカバーが共に対となった同一形状のものを使用するため、これらを低コストで容易に製造できると共に、左右部品の組付ミスも生じないため、光コネクタアダプタの組み付けを容易に行うことができる。
【０００９】
【発明の実施の形態】
以下、本発明を図示する実施の形態により具体的に説明する。
図１は本発明の一実施の形態の分解斜視図、図２は組み付け状態の斜視図、図３は側面図、図４及び図５は正面図及び平面図、図６は図３のＡ−Ａ線矢視断面図、図７は図３のＢ−Ｂ線矢視断面図、図８は図７に対応した組付手順を示す断面図である。
【００１０】
この実施の形態の光コネクタアダプタ１は、２個一対の左右の外部ハウジング２、３と、２個一対の左右の内部ハウジング４、５と、金属プレート６と、スリーブホルダ７と、２個一対の外部ハウジングカバー８とを有している。
【００１１】
２個一対の外部ハウジング２、３は、外形が横長矩形状のハウジング本体２ａ、３ａと、ハウジング本体２ａ、３ａにおける対向端の上下両面に、矩形の係止突部２ｂ、３ｂを一体的に有しており、ハウジング本体２ａ、３ａには、矩形状の嵌合孔２ｃ、３ｃが形成されている。それぞれの嵌合孔２ｃ、３ｃにおける対向端との反対側には、内側に折り曲げられたストッパ部２ｄ、３ｄが形成されている。嵌合孔２ｃ、３ｃは後述する内部ハウジング４、５が挿入されて嵌合するものであり、ストッパ部２ｄ、３ｄは挿入された内部ハウジング４、５の抜け出るのを阻止させるものである。
【００１２】
２個一対の内部ハウジング４、５は、それぞれ外部ハウジング２、３の嵌合孔２ｃ、３ｃに嵌合することにより外部ハウジング２、３に取り付けられる。このため、内部ハウジング４、５は嵌合孔２ｃ、３ｃと相応した矩形の外形となっている。また、内部ハウジング４、５には、光コネクタの挿入孔４ａ、５ａが矩形状となって軸方向に貫通している。
【００１３】
対となっている内部ハウジング４、５の対向端の内側には、後述するスリーブホルダ７の押え部４ｂ、５ｂが形成されている。この実施の形態において、スリーブホルダ７が同心円となっている段付の圧入環７ａを有し、押え部４ｂ、５ｂは、この圧入環７ａを押さえることから段付のリング形状に形成されている。以上の２個一対の内部ハウジング４、５は、同一形状となるように全体が合成樹脂によって形成されている。
【００１４】
このように対となっている外部ハウジング２、３及び対となっている内部ハウジング４、５が同一形状に成形されることにより、これらの製造が容易となると共に、左右に関係なく組み付けることができるため組付ミスが生じることがなくなる。
【００１５】
スリーブホルダ７は、スリーブ（割スリーブ）９を保持するものである。スリーブホルダ７は、共に円筒状の第１部材７ｂ及び第２部材７ｃを嵌合することにより組み立てられるものであり、この組み立て状態に対してスリーブ９が軸方向に貫通するように挿入される。この場合、第１部材７ｂが第２部材７ｃ内に挿入されて嵌合するものであり、第２部材７ｃの外側には上述した段付の圧入環７ａが形成されている。さらに、スリーブホルダ７の全体は金属により形成されている。
【００１６】
金属プレート６は、導電性の良い金属板（例えば黄銅板等）からなり、外部ハウジング２、３の外形と略同じ矩形の外形に成形されている。この金属プレート６には、スリーブホルダ７の圧入環７ａが圧入される圧入孔６ａが中央部分に形成されている。これにより、金属板６は、図６及び図７に示すようにスリーブホルダ７を保持した状態で、外部ハウジング２、３及び内部ハウジング４、５の押え部４ｂ、５ｂの間に挟まれる。この挟持状態において、金属プレート６はスリーブホルダ７から外部ハウジング２、３にかけた領域を遮断する。
【００１７】
２個一対の外部ハウジングカバー８は、弾性を有する金属板にて天板部８ａと、両側板部８ｂ、８ｃとを有するよう、前後面形状が略コ字状の折曲構造に形成されている。そして、天板部８には、アダプタ取付板３０に対する挟持機構９及び両側板部８ｂ、８ｃには、２個の外部ハウジングカバー８、８における両側板部８ｂ、８ｃ同志の係止構造１５がそれぞれ設けられている。
【００１８】
アダプタ取付板３０に対する挟持機構９は、次のとおり構成される。
天板部８略中央の左右両側に平行な段付き切込み１０を入れる。この切込み１０は、狭幅の切込み１０ａを長く、広幅の切込み１０ｂを短くする。そして、さらに、長い切込み１０ａと短い切込み１０ｂとの堺目に直交するように切込み１０ｃを入れる。このようにして天板部８に各切込みを入れたのち、短い切込み１０ｂ側を垂直に起し、直立係止片１１を形成すると共に、長い切込み１０ａ側を斜め上方に起し、傾斜係止片１２を形成する。これら係止片１１、１２によって、両係止片１１、１２間に、アダプタ取付板３０の取付孔３０ａの孔縁を弾性力をもって挟持できる間隙９ａを有する挟持機構９が形成される。なお、傾斜係止片１２の先端を図１及び図２等に示したように、略水平に折曲すると、アダプタ取付板３０に対する取付け状態を安定させることができる。
【００１９】
外部ハウジングカバー８の両側板部８ｂ、８ｃの係止機構１５は、次のとおり構成される。
一方の側板部８ｂは、２個の外部ハウジング２、３の対向端を突き合せたとき、前後方向に連設された係止突部２ｂ、３ｂへ片側から挿入、係止が可能な切欠き１６が、略中央先端に形成されると共に、この切欠き１６両側の側板部８ｂには、上端の水平な係止部１７ａと外面の傾斜スライド面１７ｂとからなる係止突起１７がそれぞれ形成され、かつ係止突起１７下方の側板部８ｂ先端には、短い突起１８がそれぞれ一体に形成されている。
【００２０】
他方の側板部８ｃは、外部ハウジング２、３の係止突部２ｂ、３ｂへ嵌合可能な横長の嵌合穴１９が側板部８ｂの切欠き１６と対向する位置に形成されると共に、その両側の係止突起１７と対向する位置に、係止部１７が係止可能な係止孔２０がそれぞれ開口して形成され、かつ係止孔２０基端には、突起１８の挿入孔２１がそれぞれ形成されている。
【００２１】
次に、この実施の形態の光コネクタアダプタ１の組み付けを説明する。
図６及び図７に示すように、内部ハウジング４を対向端側から外部ハウジング２の嵌合孔２ｃに挿入して嵌合させると共に、内部ハウジング５を、対向端側から外部ハウジング３の嵌合孔３ｃに挿入して嵌合させる。これらの内部ハウジング４、５は、ストッパ部２ｄ、３ｄに当接することにより、挿入動作がストップされる。
【００２２】
一方、スリーブホルダ７にスリーブ９を挿入した後、スリーブホルダ７の圧入環７ａを圧入孔６ａに圧入させて、スリーブホルダ７と金属プレート６とを組み付ける。この組み付け状態においては、金属プレート６は径方向に延びた状態となっている。
【００２３】
次に、スリーブホルダ７を外部ハウジング２及び３の間に配置した状態で、外部ハウジング２、３を相互に接近させる。これにより、スリーブホルダ７はそれぞれの内部ハウジング４、５の挿入孔４ａ、５ａに挿入される。この挿入動作は、内部ハウジング４、５の押え部４ｂ、５ｂがスリーブホルダ７の圧入環７ａに当接することにより停止する。
このとき、金属プレート６は内部ハウジング４、５の押え部４ｂ、５ｂ及び外部ハウジング２、３の端部に挟まれた状態となると共に、外部ハウジング２、３の係止突部２ｂ、３ｂが互いに突き合せられた状態となる。
【００２４】
次いで、外部ハウジング２、３の両側面から外部ハウジングカバー８、８を、一方の側板部８ｂが他方の側板部８ｃの内側に位置するようにして嵌挿すると、側板部８ｂに設けられた切欠き１６と嵌合穴１９が、外部ハウジング２、３の係止突部２ｂ、３ｂに係合すると共に、係止突起１７が係止孔２０に嵌合され、かつ突起１８が挿入孔２１内へ差し込まれる。このように、２個の外部ハウジングカバー８、８で外部ハウジング２、３を両側から組み付けて光コネクタアダプタ１を作製する。
【００２５】
図５及び図７は、以上により組み付けられた光コネクタアダプタ１をアダプタ取付板３０に固定した状態を示す。アダプタ取付板３０への取り付けは、取付孔３０ａに外部ハウジング３側から挿入することにより行われる。この取付孔３０ａは、外部ハウジング２、３へ装着した外部ハウジングカバー８の外径より僅かに大きく形成されている。
【００２６】
したがって、光コネクタアダプタ１をアダプタ取付板３０の取付孔３０ａへ一方から挿入すると、外部ハウジングカバー８に設けられた挟持機構９における傾斜係止片１２が、取付孔３０ａの孔縁によってバネ力に抗して押し搾められつつ反対側へ抜け出すと同時に、当該傾斜係止片１２が弾性復帰して元の位置まで起き上がる。
【００２７】
このとき、アダプタ取付板３０の反対側に位置する垂直係止片１１と傾斜係止片１２の間隙９ａは、アダプタ取付板３０の板厚と略一致させてあるため、アダプタ取付板３０に対して光コネクタアダプタ１は弾性力をもって挟持、固定される。
【００２８】
このような実施の形態では、スリーブホルダ７、金属プレート６、外部ハウジング２、３、外部ハウジングカバー８及びアダプタ取付板３０が金属によって形成されていると共に、金属プレート６がスリーブホルダ７から外部ハウジング２、３にかけての領域を遮断した状態となっている。このため、図６の矢印で示す電磁波Ｎが軸方向に沿った状態で進行してきた場合であっても、アダプタ取付板３０、外部ハウジング２のストッパ部２ｄ、金属プレート６、スリーブホルダ７及び外部ハウジングカバー８によって侵入を阻止することができる。このため、電磁波侵入に起因したノイズ障害を防止することができる。
【００２９】
また、対となっている外部ハウジング２、３が同じ形状となっていると共に、対となっている内部ハウジング４、５及び外部ハウジングカバー８も同じ形状となっているため、ミスのない組み付けを行うことができる。
さらに、外部ハウジング２、３及び外部ハウジングカバー８が金属によって成形されているため、大きな強度を有し、耐久性のある光コネクタアダプタとすることができる。
【００３０】
【発明の効果】
本願発明は、以上説明したように構成されるため、下記の効果を奏する。
請求項１の発明によれば、ハウジングの軸方向に沿った電磁波を外部ハウジングの端面、外部ハウジングカバー、金属プレートによって阻止するため、電磁波侵入に起因したノイズ障害を防止することができる。また、外部ハウジング、内部ハウジング及び外部ハウジングカバーとして、対となった同一形状のものを使用するため、これらを低コストで、容易に製造できると共に、組付ミスが生じることがなくなる。
【図面の簡単な説明】
【図１】本発明の一実施の形態における光コネクタアダプタの分解斜視図である。
【図２】組み付け状態の斜視図である。
【図３】組み付け状態の側面図である。
【図４】組み付け状態の正面図である。
【図５】組み付け状態の平面図である。
【図６】図３におけるＡ−Ａ線矢視断面図である。
【図７】図３におけるＢ−Ｂ線矢視断面図である。
【図８】図７に対応した組み付け手順を示す断面図である。
【符号の説明】
１　　　　　光コネクタアダプタ
２、３　　　外部ハウジング
４、５　　　内部ハウジング
６　　　　　金属プレート
７　　　　　スリーブホルダ
８　　　　　外部ハウジングカバー
９　　　　　挟持機構
２ｃ、３ｃ　嵌合孔
４ａ、５ａ　挿入孔
４ｂ、５ｂ　押え部
６ａ　　　　圧入孔
８ａ　　　　天板部
８ｂ、８ｃ　側板部
１５　　　　係止機構
３０　　　　アダプタ取付板
３０ａ　　　取付孔
【図１】
2004138883.tif 000003
【図２】
2004138883.tif 000004
【図３】
2004138883.tif 000005
【図４】
2004138883.tif 000006
【図５】
2004138883.tif 000007
【図６】
2004138883.tif 000008
【図７】
2004138883.tif 000009
【図８】
2004138883.tif 000010